(57)【特許請求の範囲】
【請求項１】
工作機械等の機械設備を起動する２つの起動スイッチと、起動後の前記機械設備の非常時に停止させる非常停止スイッチとをケースに設けて構成する運転用スイッチ装置であって、
前記機械設備の起動回路に起動信号を出力する安全出力接点部と、
前記２つの起動スイッチが一定時間以内に作動されると前記安全出力接点部を作動させて前記起動回路に前記起動信号を出力する起動部と、
前記安全出力接点部の溶着を検出する接点溶着検出部と、
前記非常停止スイッチの作動により強制的に前記安全出力接点部を開いて前記起動回路への前記起動信号の出力を停止する非常停止制御部とを備えており、
これら安全出力接点部、起動部及び非常停止制御部を前記ケース内に収容して構成したことを特徴とする運転用スイッチ装置。
【請求項２】
前記起動部が、前記２つの起動スイッチのうちの一方の起動スイッチを作動することでタイマー回路を起動し、このタイマー回路がタイムアップするまでの一定時間以内に前記他方の起動スイッチを作動することで起動される回路部で構成してあり、
前記安全出力接点部が、前記起動部の起動により閉成されるセーフティリレーのリレー接点で構成してあり、
前記接点溶着検出部が、前記安全出力接点部の前記リレー接点の溶着に対して次回のリレー駆動時に前記起動部を起動させないことで溶着検出を行う構成であり、
前記非常停止制御部が、前記非常停止スイッチを作動することで、前記起動部における前記回路部に供給されている電源を強制的に遮断する構成であることを特徴とする請求項１に記載の運転用スイッチ装置。
【請求項３】
前記２つの起動スイッチと前記非常停止スイッチとを、それぞれの操作部を前記ケースの表面側に表出させて前記ケースに配置し、
このケースの内部に、前記２つの起動スイッチ及び前記非常停止スイッチに接続するプリント基板を収容し、
前記プリント基板に、前記２つの起動スイッチ及び前記非常停止スイッチが導通する前記セーフティリレーと、前記機械設備の前記起動回路に起動信号を出力する前記安全出力接点部の出力部とを搭載するようにしたことを特徴とする請求項２に記載の運転用スイッチ装置。
【請求項４】
前記ケースに、前記機械設備の動作状態を表示する動作表示灯と、前記機械設備の動作回数を計数する動作回数カウンタと、前記機械設備の動作時間等を表示する動作表示部とを設けたことを特徴とする請求項１又は請求項２又は請求項３に記載の運転用スイッチ装置。
【請求項５】
前記安全出力接点部の前記出力部と前記機械設備の前記起動回路とをケーブルを介して接続するようにしたことを特徴とする請求項３又は請求項４に記載の運転用スイッチ装置。
【発明の詳細な説明】
【０００１】
【発明の属する技術分野】
本発明は、工作機械等の機械設備の運転に使用される運転用スイッチ装置に関するものである。
【０００２】
【従来の技術】
従来のこの種の運転用スイッチ装置は、図６に示すように、一のケース（図示せず）に起動スイッチや非常停止スイッチ（いずれも図示せず）のようなスイッチのみを有するスイッチ装置４０と、このスイッチ装置４０の起動スイッチを押してこれをオン作動させてリレー（図示せず）を起動し、安全出力接点部（図示せず）を作動して工作機械Ｎの起動回路（図示せず）に起動信号を出力する安全機能付きのリレー装置４１を他のケース（図示せず）に収容して構成していた。
【０００３】
そして、スイッチ装置４０と安全機能付きのリレー装置４１とをケーブル４２を介して接続し、安全機能付きのリレー装置４１と工作機械Ｎの起動回路とを別のケーブル４３を介して接続して、スイッチ装置４０と安全機能付きのリレー装置４１とを工作機械Ｎの起動回路に接続していた。
【０００４】
この場合、スイッチ装置４０の起動スイッチを押してこれをオン作動させて、リレーを起動し、安全出力接点部を作動して工作機械Ｎの起動回路に起動信号を出力して工作機械Ｎを起動する。
【０００５】
【発明が解決しようとする課題】
しかしながら、上記した従来の運転用スイッチ装置にあっては、スイッチ装置４０と安全機能付きのリレー装置４１とを接続するケーブル４２と、このリレー装置４１と工作機械Ｎの起動回路とを接続する別のケーブル４３とが必要になり、ケーブル４２、４３の引き回しやケーブル４２、４３の接続に工数がかかるという問題点があったし、また、スイッチ装置４０とは別に安全機能付きのリレー装置４１を設置しなければならず、この安全機能付きのリレー装置４１を設置するための設置スペースを確保しなければならないという問題点があった。
【０００６】
本発明は、上記の問題点に着目して成されたものであって、その目的とするところは、従来の運転用スイッチ装置におけるスイッチ装置と安全機能付きのリレー装置とを接続するケーブルを廃止することができて、このケーブルの引き回しやケーブルの接続に工数がかからないようにすることができるばかりか、安全機能付きのリレー装置を設置するための設置スペースの確保の必要がない運転用スイッチ装置を提供することにある。
【０００７】
【課題を解決するための手段】
上記の目的を達成するために、本発明に係る運転用スイッチ装置は、工作機械等の機械設備を起動する２つの起動スイッチと、起動後の機械設備の非常時に停止させる非常停止スイッチとをケースに設けて構成する運転用スイッチ装置であって、機械設備の起動回路に起動信号を出力する安全出力接点部と、２つの起動スイッチが一定時間以内に作動されると安全出力接点部を作動させて起動回路に起動信号を出力する起動部と、安全出力接点部の溶着を検出する接点溶着検出部と、非常停止スイッチの作動により強制的に安全出力接点部を開いて起動回路への起動信号の出力を停止する非常停止制御部とを備えており、これら安全出力接点部、起動部及び非常停止制御部をケース内に収容して構成したものである。
【０００８】
かかる構成により、運転用スイッチ装置は、２つの起動スイッチと、非常停止スイッチを収容するケースに、安全出力接点部と、起動部と、接点溶着検出部と、非常停止制御部とをも収容したことにより、機械設備を起動するための運転用スイッチ装置が一つのものになり、従来の運転用スイッチ装置におけるスイッチ装置と安全機能付きのリレー装置とを接続するケーブルを廃止することができる。
【０００９】
このために、ケーブルの引き回しやケーブルの接続に工数がかかることがない。また、従来のようにスイッチ装置とは別に安全機能付きのリレー装置を設置するための設置スペースの確保が必要でなくなる。
【００１０】
ここで、起動スイッチとは、例えば、操作することで回路を接続する構成のスイッチであり、非常停止スイッチとは、例えば、操作することで回路を遮断する構成のスイッチである。
【００１１】
また、本発明に係る運転用スイッチ装置は、上記した本発明に係る運転用スイッチ装置において、起動部が、２つの起動スイッチのうちの一方の起動スイッチを作動することでタイマー回路を起動し、このタイマー回路がタイムアップするまでの一定時間以内に他方の起動スイッチを作動することで起動される回路部で構成してあり、安全出力接点部が、起動部の起動により閉成されるセーフティリレーのリレー接点で構成してあり、接点溶着検出部が、安全出力接点部のリレー接点の溶着に対して次回のリレー駆動時に起動部を起動させないことで溶着検出を行う構成であり、非常停止制御部が、非常停止スイッチを作動することで、起動部における回路部に供給されている電源を強制的に遮断する構成である。
【００１２】
かかる構成により、安全出力接点部及び接点溶着検出部をセーフティリレーで構成することができて、このセーフティリレーと起動部と２つの起動スイッチと非常停止スイッチとで一つの運転用スイッチ装置を構成することができる。このために、従来の運転用スイッチ装置におけるスイッチ装置と安全機能付きのリレー装置とを接続するケーブルを廃止することができる。
【００１３】
このために、ケーブルの引き回しやケーブルの接続に工数がかかることがない。また、従来のようにスイッチ装置とは別に安全機能付きのリレー装置を設置するための設置スペースの確保が必要でなくなる。
【００１４】
また、本発明に係る運転用スイッチ装置は、上記した本発明に係る運転用スイッチ装置において、２つの起動スイッチと非常停止スイッチとを、それぞれの操作部をケースの表面側に表出させてケースに配置し、このケースの内部に、２つの起動スイッチ及び非常停止スイッチに接続するプリント基板を収容し、プリント基板に、２つの起動スイッチ及び非常停止スイッチが導通するセーフティリレーと、機械設備の起動回路に起動信号を出力する安全出力接点部の出力部とを搭載するようにしたものである。
【００１５】
かかる構成により、安全出力接点部及び接点溶着検出部をセーフティリレーで構成することができるのみならず、このセーフティリレーを２つの起動スイッチと非常停止スイッチと共に一つのケースに設けて一つの運転用スイッチ装置を構成することができ、また、この運転用スイッチ装置を、その出力部でケーブルを介して機械設備に接続することができる。
【００１６】
このために、従来の運転用スイッチ装置におけるスイッチ装置と安全機能付きのリレー装置とを接続するケーブルを廃止することができるために、ケーブルの引き回しやケーブルの接続に工数がかかることがないし、また、従来のようにスイッチ装置とは別に安全機能付きのリレー装置を設置するための設置スペースの確保が必要でなくなる。
【００１７】
ここで、安全出力接点部が機械設備の起動回路に起動信号を出力するための出力部とは、例えば端子台もしくはコネクタである。
【００１８】
また、本発明に係る運転用スイッチ装置は、上記した本発明に係る運転用スイッチ装置において、ケースに、機械設備の動作状態を表示する動作表示灯と、機械設備の動作回数を計数する動作回数カウンタと、機械設備の動作時間等を表示する動作表示部とを設けたものである。
【００１９】
かかる構成により、機械設備の動作状態が動作表示灯のいずれかが点灯することにより表示されるし、また、機械設備の動作回数は動作回数カウンタによりカウントされ、また、動作（稼働）時間等が動作表示部に表示されるようになる。
【００２０】
また、本発明に係る運転用スイッチ装置は、上記した本発明に係る運転用スイッチ装置において、安全出力接点部の出力部と機械設備の起動回路とをケーブルを介して接続するようにした。
【００２１】
かかる構成により、運転用スイッチ装置は、安全出力接点部の出力部で機械設備の起動回路に一本のケーブルを介して接続されることになり、ケーブルの引き回しやケーブルの接続に工数がかかることがない。
【００２２】
【発明の実施の形態】
以下、本発明の実施の形態を図面に基づいて説明する。
【００２３】
図１は本発明に係る運転用スイッチ装置の正面から見た斜視図、図２は同運転用スイッチ装置の一部を破断してケースの内部を表出した斜視図、図３は同運転用スイッチ装置の回路構成の説明図である。
【００２４】
本発明に係る運転用スイッチ装置Ａは、ケース１と、このケース１に配置された左右（一方及び他方）の起動スイッチ５Ｌ、５Ｒ、非常停止スイッチ６、動作表示灯７、動作表示部７−１及び動作回数カウンタ８と、ケース１内に収容されたプリント基板９に搭載されたセーフティリレー（強制ガイド接点機構付きリレー）２及び端子台（もしくはコネクタ）１０とを備えている。なお、起動スイッチとは、例えば、操作することで回路を接続する構成のスイッチであり、非常停止スイッチとは、例えば、操作することで回路を遮断する構成のスイッチである。
【００２５】
ケース１の上面部１Ａの左側には左側プロテクションカバー部４Ｌが、右側には右側プロテクションカバー部４Ｒがそれぞれ設けてある。また、ケース１の上面部１Ａの左側には、左の起動スイッチ５Ｌが、その操作部５Ｌ−１をケース１の表面側に表出させて配置してあり、また、ケース１の上面部１Ａの右側には、右の起動スイッチ５Ｒが、その操作部５Ｒ−１をケース１の表面側に表出させて配置してあり、左の起動スイッチ５Ｌの上方には左側プロテクションカバー部４Ｌが位置しており、右の起動スイッチ５Ｒの上方には右側プロテクションカバー部４Ｒが位置している。
【００２６】
また、ケース１の上面部１Ａの中央部には非常停止スイッチ６が、その操作部６−１をケース１の表面側に表出させて配置してあり、また、この上面部１Ａには動作表示灯７、動作表示部７−１、動作回数カウンタ８が設けてある。
【００２７】
ケース１内にはプリント基板９が収容してあり、このプリント基板９には、セーフティリレー２と端子台１０とが搭載してある。そして、左右の起動スイッチ５Ｌ、５Ｒ、非常停止スイッチ６、動作表示灯７、動作表示部７−１及び動作回数カウンタ８は配線等によりプリント基板９に接続してある。
【００２８】
セーフティリレー２は、接点溶着時に安全機能を確保する強制ガイド接点機構を有する。強制ガイド接点機構とは、ａ接点とｂ接点が同時に動作状態にならないようにした機構である。すなわち、ａ接点が溶着した場合、無励磁状態でｂ接点が開路を保持する。また、ｂ接点が溶着した場合でも、励磁状態でａ接点が開路を保持する。
【００２９】
そして、セーフティリレー２は、接点溶着検出部１２と、例えば工作機械の起動回路に出力する安全出力接点部１４とを構成する。
【００３０】
安全出力接点部１４は、起動部１１の起動により閉成されるセーフティリレー２のリレー接点で構成してある。すなわち、セーフティリレー２の一方のリレー接点であるａ接点で構成してある。そして、安全出力接点部１４は、ａ接点が閉じることにより接続される接続端子部１４ａ、１４ｂ、１４ｃと接続端子部１４ｄ、１４ｅ、１４ｆとを有しており、接続端子部１４ａ、１４ｂ、１４ｃ、４ｄ、１４ｅ、１４ｆは出力部である端子台１０の接続端子部である。
【００３１】
起動部（同時入力制御部）１１は、２つの起動スイッチ５Ｌ、５Ｒのうちの左（一方）の起動スイッチ５Ｌを作動することでタイマー回路１６を起動し、このタイマー回路１６がタイムアップするまでの一定時間（約０．５秒）以内に右  （他方）の起動スイッチ５Ｒを作動することで起動される起動回路部（回路部）で構成してある。起動回路部はプリント基板９に形成してある。
【００３２】
すなわち、図４の動作フローに示すように、左の起動スイッチ５Ｌを押してこれをオン作動させると（ステップＳ１）、タイマー回路１６が起動し（ステップＳ２）、このタイマー回路１６がタイムアップするまでの、例えば０．５秒以内に右の起動スイッチ５Ｒを押してこれをオン作動させると（ステップＳ３、ステップＳ４）、起動回路部が起動して（ステップＳ５）、セーフティリレー２の安全出力接点部１４を作動する（ステップＳ６）。
【００３３】
接点溶着検出部１２は、安全出力接点部１４のリレー接点の溶着に対してフェイルセーフに動き、次回のリレー駆動時に起動部１１が起動しないことで溶着検出を行う構成である。すなわち、安全出力接点部１４を構成するａ接点が溶着すると、ｂ接点が開くためにセーフティリレー２が働かなくなる。したがって、左右の起動スイッチ５Ｌ、５Ｒをオン作動させても起動部１１が起動しない。この起動部１１が起動しない状態をもって、安全出力接点部１４を構成するａ接点が溶着していることを検出する。
【００３４】
また、接点溶着検出部１２は、その接続端子Ｔ３１、Ｔ３２間にコンタクタ  （図示せず）のｂ接点を接続することで、このコンタクタのａ接点の溶着を検出することができる。
【００３５】
すなわち、コンタクタのａ接点が溶着した場合にｂ接点が開くために、セーフティリレー２が働かなくなるが、このことで、コンタクタのａ接点溶着を検出することができる。なお、コンタクタを使用しないときは、接続端子Ｔ３１、Ｔ３２間は短絡されるものである。
【００３６】
非常停止制御部１３は、非常停止スイッチ６を押すことで、強制的に安全出力接点部１４を切るものである。すなわち、非常停止制御部１３は、非常停止スイッチ６を作動することで、起動部１１における起動回路部に供給されている電源１７を強制的に遮断する構成である。例えば、非常停止スイッチ６を押すことで、起動部１１に供給されている電源１７を強制的に遮断し起動部１１の駆動を非常停止させ、例えば、工作機械の駆動を非常停止させるものである。
【００３７】
上記のように構成された運転用スイッチ装置Ａは、図５に示すように機械設備である工作機械Ｎの運転に用いられる。
【００３８】
この場合、端子台１０の接続端子部１４ａ、１４ｂ、１４ｃ、４ｄ、１４ｅ、１４ｆにケーブル３０の各リード線（図示せず）が接続され、このケーブル３０が工作機械Ｎの起動回路（図示せず）に接続される。
【００３９】
このように、運転用スイッチ装置Ａは、安全出力接点部１４の出力部である端子台１０で工作機械Ｎの起動回路に一本のケーブル３０を介して接続されることになり、ケーブル３０の引き回しやケーブル３０の接続に工数がかかることがない。
【００４０】
したがって、左の起動スイッチ５Ｌを押してこれをオン作動させて、タイマー回路１６を起動し、このタイマー回路１６がタイムアップするまでの、例えば０．５秒以内に右の起動スイッチ５Ｒを押してこれをオン作動させて起動回路部を起動し、セーフティリレー２のリレー接点（ａ接点）で構成される安全出力接点部１４を作動して工作機械Ｎの起動回路に起動信号を出力する。
【００４１】
なお、安全出力接点部１４を構成するａ接点が溶着するとｂ接点が開くために、セーフティリレー２が働かなくなり、左右の起動スイッチ５Ｌ、５Ｒをオン作動させても起動部１１が起動しない。このために、工作機械Ｎの起動回路に起動信号を出力することができない。
【００４２】
安全出力接点部１４を作動して工作機械Ｎの起動回路に起動信号を出力すると、、工作機械Ｎが起動し被工作物の加工を行う。この工作機械Ｎの動作状態は、運転用スイッチ装置Ａが備える動作表示灯７のいずれかが点灯することにより表示される。また、この工作機械Ｎの動作回数は、運転用スイッチ装置Ａが備える動作回数カウンタ８によりカウントされ、また、動作（稼働）時間等が動作表示部７−１に表示される。
【００４３】
何らかの理由により工作機械Ｎを非常停止させる場合には、非常停止スイッチ６を押すことにより、起動部１１における起動回路部に供給されている電源１７を強制的に遮断し、起動部１１の駆動を停止させることで強制的に安全出力接点部１４を開き、工作機械Ｎの起動回路への起動信号の出力を停止させることで行う。
【００４４】
上記のように、本実施の形態によれば、工作機械Ｎを起動する左右の起動スイッチ５Ｌ、５Ｒと、起動後の工作機械Ｎの非常時に停止させる非常停止スイッチ６とをケース１に設けて構成する運転用スイッチ装置であって、工作機械Ｎの起動回路に起動信号を出力する安全出力接点部１４と、左右の起動スイッチ５Ｌ、５Ｒが一定時間以内に作動されると安全出力接点部１４を作動させて起動回路に起動信号を出力する起動部１１と、安全出力接点部１４の溶着を検出する接点溶着検出部１２と、非常停止スイッチ６の作動により強制的に安全出力接点部１４を開いて起動回路への起動信号の出力を停止する非常停止制御部１３とを備えており、これら安全出力接点部１４、起動部１１及び非常停止制御部１３とをケース１内に収容して構成したことにより、工作機械Ｎを起動するための運転用スイッチ装置Ａが一つのものになり、従来の運転用スイッチ装置におけるスイッチ装置と安全機能付きのリレー装置とを接続するケーブルを廃止することができて、この運転用スイッチ装置Ａを工作機械Ｎに接続するためのケーブル３０が一本でよくなる。
【００４５】
このために、ケーブル３０の引き回しやケーブル３０の接続に工数がかかることがない。また、従来のようにスイッチ装置とは別に安全機能付きのリレー装置を設置するための設置スペースの確保が必要でなくなる。
【００４６】
また、本実施の形態によれば、起動部１１が、左右の起動スイッチ５Ｌ、５Ｒのうちの左（一方）の起動スイッチ５Ｌを作動することでタイマー回路１６を起動し、このタイマー回路１６がタイムアップするまでの（０．５秒）以内に右  （他方）の起動スイッチ５Ｒを作動することで起動される起動回路部で構成してあり、安全出力接点部１４が、起動部１１の起動により閉成されるセーフティリレー２のリレー接点（ａ接点）で構成してあり、接点溶着検出部１２が、安全出力接点部１４のリレー接点（ａ接点）の溶着に対してフェイルセーフに動き（セーフティリレー２の安全性が損なわれることなく作動して）、次回のリレー駆動時に起動部１１が起動しないことで溶着検出を行う構成であり、非常停止制御部１３が、非常停止スイッチ６を作動することで、起動部１１における起動回路部に供給されている電源１７を強制的に遮断する構成であるために、安全出力接点部１４及び接点溶着検出部１４をセーフティリレー２で構成することができて、このセーフティリレー２と起動回路部と左右の起動スイッチ５Ｌ、５Ｒと非常停止スイッチ６とで一つの運転用スイッチ装置Ａを構成することができる。
【００４７】
このために、従来の運転用スイッチ装置におけるスイッチ装置と安全機能付きのリレー装置とを接続するケーブルを廃止することができて、この運転用スイッチ装置Ａを工作機械Ｎに接続するためのケーブル３０が一本でよくなり、ケーブル３０の引き回しやケーブル３０の接続に工数がかかることがない。また、従来のようにスイッチ装置とは別に安全機能付きのリレー装置を設置するための設置スペースの確保が必要でなくなる。
【００４８】
また、本実施の形態によれば、左右の起動スイッチ５Ｌ、５Ｒと非常停止スイッチ６とをケース１の表面側に表出させて設け、このケース１の内部に、左右の起動スイッチ５Ｌ、５Ｒ及び非常停止スイッチ６に接続するプリント基板９を収容し、このプリント基板９に、左右の起動スイッチ５Ｌ、５Ｒ及び非常停止スイッチ６が導通するセーフティリレー２と、工作機械Ｎの起動回路に起動信号を出力するため安全出力接点部１４の出力部である端子台１０とを搭載するようにしたことにより、安全出力接点部１４及び接点溶着検出部１２をセーフティリレー２で構成することができるのみならず、このセーフティリレー２を、左右の起動スイッチ５Ｌ、５Ｒと非常停止スイッチ６と起動部１１の起動回路部を有するプリント基板９と共に、ケース１に搭載して一つの運転用スイッチ装置Ａを構成することができ、また、この運転用スイッチ装置Ａを、その端子台１０でケーブル３０を介して工作機械Ｎに接続することができる。
【００４９】
このために、従来の運転用スイッチ装置におけるスイッチ装置と安全機能付きのリレー装置とを接続するケーブルを廃止することができて、この運転用スイッチ装置Ａを工作機械Ｎに接続するためのケーブル３０が一本でよくなり、ケーブル３０の引き回しやケーブル３０の接続に工数がかかることがない。また、従来のようにスイッチ装置とは別に安全機能付きのリレー装置を設置するための設置スペースの確保が必要でなくなる。
【００５０】
また、本実施の形態によれば、ケース１に、工作機械Ｎの動作状態を表示する動作表示灯７と、工作機械Ｎの動作回数を計数する動作回数カウンタ８と、工作機械Ｎの動作時間等を表示する動作表示部７−１とが設けてあるために、工作機械Ｎの動作状態が動作表示灯７のいずれかが点灯することにより表示されるし、また、工作機械Ｎの動作回数は動作回数カウンタ８によりカウントされ、また、動作（稼働）時間等が動作表示部７−１に表示されるようになる。
【００５１】
また、本実施の形態によれば、運転用スイッチ装置は、安全出力接点部１４の端子台１０と工作機械Ｎの起動回路とを一本のケーブル３０を介して接続されることになり、ケーブル３０の引き回しやケーブル３０の接続に工数がかかることがない。
【００５２】
【発明の効果】
以上説明したように、本発明に係る運転用スイッチ装置によれば、２つの起動スイッチと、非常停止スイッチを収容するケースに、安全出力接点部と、起動部と、接点溶着検出部と、非常停止制御部とをも収容したことにより、機械設備を起動するための運転用スイッチ装置が一つのものになり、従来の運転用スイッチ装置におけるスイッチ装置と安全機能付きのリレー装置とを接続するケーブルを廃止することができる。
【００５３】
このために、ケーブルの引き回しやケーブルの接続に工数がかかることがない。また、従来のようにスイッチ装置とは別に安全機能付きのリレー装置を設置するための設置スペースの確保が必要でなくなる。
【図面の簡単な説明】
【図１】本発明に係る運転用スイッチ装置の正面から見た斜視図である。
【図２】同運転用スイッチ装置の一部を破断してケースの内部を表出した斜視図である。
【図３】同運転用スイッチ装置の回路構成の説明図である。
【図４】同運転用スイッチ装置における起動部の動作フローチャートである。
【図５】本発明に係る運転用スイッチ装置を工作機械にケーブルで接続した状態の説明図である。
【図６】従来の運転用スイッチ装置を工作機械にケーブルで接続した状態の説明図である。
【符号の説明】
Ａ      運転用スイッチ装置
Ｎ      工作機械（機械設備）
１      ケース
２      セーフティリレー（強制ガイド接点機構付きリレー）
５Ｌ    左の起動スイッチ（一方の起動スイッチ）
５Ｌ−１  操作部
５Ｒ    右の起動スイッチ（他方の起動スイッチ）
５Ｒ−１  操作部
６      非常停止スイッチ
６−１  操作部
７      動作表示灯
７−１  動作表示部
８      動作回数カウンタ
９      プリント基板
１０    端子台（もしくはコネクタ）（出力部）
１１    起動部（同時入力制御部）
１２    接点溶着検出部
１３    非常停止制御部
１４    安全出力接点部
１６    タイマー回路
３０    ケーブル
【図１】
0004193386.tif 000002
【図２】
0004193386.tif 000003
【図３】
0004193386.tif 000004
【図４】
0004193386.tif 000005
【図５】
0004193386.tif 000006
【図６】
0004193386.tif 000007